【手続補正書】
【提出日】平成25年3月1日(2013.3.1)
【手続補正１】
【補正対象書類名】明細書
【補正対象項目名】０００６
【補正方法】変更
【補正の内容】
【０００６】
この発明によれば、上記の課題は、特許請求の範囲の請求項１に記載のように、機枠に取り付けた、中央部又は中央部近傍に開口部を有する多数のワーク支持用フリーボールベアリング（フリーベアリング）付きテーブルと、該テーブルの中央部の下方部において機枠に取り付けた主軸装置であって、モータを介して垂直軸線周りに回転駆動する主軸の先端部に、テーブルの開口部から突出して、フリーボールベアリング上に支持されるワークの下面に隣接するエッジ部に係合可能な面取りカッタを取り付けるとともに該面取りカッタの直上部及び直下部のそれぞれに、ワークのエッジ部に隣接する端面部（下面隣接厚み端面部）に当接可能なワークガイドローラ及び面取りカッタの周辺部においてワークのエッジ部に隣接する下面部を支受可能なワーク支受台を同心的に回転可能に取り付けた主軸ヘッドを含む主軸装置と、テーブルの後部側において上下にのびる縦支軸及びテーブルの前部側のテーブルの下方部にペダルを有する足踏み式送りローラ昇降機構と、該送りローラ昇降機構を介してテーブルの上方部に昇降可能に設置した送りユニットを含むワーク送り装置であって、該送りユニットは、テーブルの前部側の主軸ヘッドのワーク支受台対向部に、モータを介して水平軸線周りに回転駆動する送りローラを有し、該送りローラは送りローラ昇降機構のペダル操作の解除時に、対向するワーク支受台部との間にワーク部を挟圧可能な下降位置を取り、送りローラ昇降機構のペダル操作時に、ワーク支受台部との間にワーク部を挟圧不能な上昇位置を取るようにしてなるワーク送り装置を備えてなる、板状ワークのアール面取り機によって解決する。
【手続補正２】
【補正対象書類名】明細書
【補正対象項目名】００２２
【補正方法】変更
【補正の内容】
【００２２】
主軸７の上端部には面取りカッタ１０が一体的に回転可能に固定してあるとともに、これに隣接する最上端部には、主軸７に同心的に固定した止めねじ軸１２に軸受（図示せず）を介して、ワークガイドローラ１１が回転自在に取り付けてある。また主軸７は、軸継手８隣接部から面取りカッタ１０隣接部までの部分が、軸受（図示せず）を介して回転自在に装着した主軸ケーシング１３中に収納されており、この主軸ケーシング１３の面取りカッタ１０隣接部に軸受（図示せず）を介して回転自在に取り付けたリング状の台座１５を有するワーク支受台１４が面取りカッタ１０の周辺部を包囲する状態で固定してある。すなわちワーク支受台１４は、主軸７に回転自在な主軸ケーシング１３を介した間接的な形態で、主軸７に対して回転自在に取り付けてある。
【手続補正３】
【補正対象書類名】明細書
【補正対象項目名】００２３
【補正方法】変更
【補正の内容】
【００２３】
主軸装置５は、さらにテーブル２の後部対応部側においてモータ９を支持するとともに上部に主軸ケーシング１３を固定したモータブラケット１７、モータブラケット１７の下部に取り付けた遊嵌穴（クリアランスホール）１９付きの張出しブラケット１８、張出しブラケット１８の下方部の機枠１に取り付けた、張出しブラケット１８を遊嵌穴１９に遊挿したピン軸２１に装着の上方付勢ばね２２を介して上下動可能に支持する台脚２３付きの主軸ヘッド支持台２０と、モータブラケット１７の上部に固定した、上方付勢ばね２２を介した張出しブラケット１８付きモータブラケット１７の上動を規制する（上動限度を規定する）ボルト形の機枠当接ストッパ２４、張出しブラケット１８の上方部においてモータブラケット１７にテーブル２の左右に対応する方向に間隔をおいて取り付けた一対のリニアボールベアリング（リニアブッシュ）２５及び機枠１に取り付けた、各リニアボールベアリング２５が上下動可能に係合する一対の縦ガイド軸（縦リニアシャフト）２６を含む主軸ヘッド微動支持機構１６を備えており、これにより機枠当接ストッパ２４の上端部が対向する機枠部に上方付勢ばね２２の作用力を介して当接する常態においては、主軸ヘッド６を機枠１に、ワーク支受台１４がフリーボールベアリング４よりも僅かに突出する状態になるように支持している。
【手続補正４】
【補正対象書類名】明細書
【補正対象項目名】００２５
【補正方法】変更
【補正の内容】
【００２５】
ワーク送り装置４０は、テーブル２の上方部に設置した、送りユニット支持台４２上の可逆モータ４３と、可逆モータ４３にギア伝動機構４４を介して連結するとともに主軸ヘッド６のテーブル２の前部側のワーク支受台部に対向させた送りローラ４５を含む送りユニット４１と、テーブル２の上方部から下方部に設置した足踏み式送りローラ昇降機構４７を備えている。
【手続補正５】
【補正対象書類名】明細書
【補正対象項目名】００２６
【補正方法】変更
【補正の内容】
【００２６】
足踏み式送りローラ昇降機構４７は、送りユニット支持台４２からテーブル２の後部側を通って下方にのびるとともに機枠１に取り付けたリニアボールベアリング４９に上下動可能に挿着した縦支軸（縦リニアシャフト）４８と、テーブル２の後部側の下方部に縦支軸４８の下端部に係合する先端部を有するとともにテーブル２の前部側の下方部にペダル５１を有する足踏みレバー５０とからなっており、ペダル５１の足踏み操作と足踏み操作の解除による縦支軸４８の上下動によって、送りユニット４１、従ってその送りローラ４５を、対向する主軸ヘッド６のワーク支受台１４との間にワークを挟圧不能な上昇状態とワークを挟圧可能な下降状態との間を上下動するようになっている。
【手続補正６】
【補正対象書類名】明細書
【補正対象項目名】００２７
【補正方法】変更
【補正の内容】
【００２７】
さらにこの送りローラ昇降機構４７は、上述したように、足踏みレバー５０のペダル５１の近傍部で下端部を枢着した主軸ヘッド微昇降用リンク機構２７を介して、主軸装置５の主軸ヘッド微動支持機構１６におけるモータブラケット１７に連結されており、ペダル５１の操作時に、主軸ヘッド微動支持機構１６の上方付勢ばね２２の圧縮を介して、主軸ヘッド６のワーク支受台１４がフリーボールベアリング４より突出しない状態まで下降するようになっている。
【手続補正７】
【補正対象書類名】明細書
【補正対象項目名】００２８
【補正方法】変更
【補正の内容】
【００２８】
上記のようなテーブル２、主軸装置５及びワーク送り装置４０を備えた図１及び図２に示す実施形態においては、通常は準備作業として、足踏み式送りローラ昇降機構４７の足踏みレバー５０のペダル５１の足踏み操作により、送りローラ４５を上昇させると同時に主軸ヘッド６をワーク支受台１４がフリーボールベアリング４から突出しない位置まで僅かに下降させた状態で、フリーボールベアリング４付きのテーブル２上に載せたワークを、面取り開始エッジ部に隣接する端面部がワークガイドローラ１１に当接する位置まで誘導した後、ペダル５１の足踏み操作の解除により、送りローラ４５を下降させると同時にワーク支受台１４を常態に向かって微上昇させてワークに圧接することにより、ワーク支受台１４との間にワーク部を挟んで位置決めする。この後は送りローラ４５と主軸７をそれぞれモータ９と可逆モータ４３を介して回転駆動することにより、ワークに軽く手を添えて、その端面部のワークガイドローラ１１に対する当接状態と送りローラ４５による送り方向を維持しながら、面取りカッタ１０を介してエッジ部のアール状の面取りを行う。この際ワークに面歪みがある場合には、主軸ヘッド６の上方付勢ばね２２を介した上下の微動によって面歪みに自動的に追従して、面取り加工を適正に保持する。
【手続補正８】
【補正対象書類名】明細書
【補正対象項目名】００３０
【補正方法】変更
【補正の内容】
【００３０】
すなわちこの主軸ヘッド支持台２０には、その両端部間の中央部に、テーブル２の後方側に対応する側にのびるとともに先端部に水平軸線の周りに回転自在なカム従動ローラ３２を支持するアーム３１が固定されており、この下方部には、機枠１に前後方向に揺動可能に枢着するとともにカム従動ローラ３２に係合する上端面部を有するカム状揺動レバー３３が設置されている。このカム状揺動レバー３３の上端面部は、高部３４と低部３５が前後方向において連続するカム形で、その前後の揺動によって、アーム３１と主軸ヘッド支持台２０が上下動し、これにより主軸７の上端部がテーブル２の開口部３に対して出入りし得るようになっている。
【手続補正９】
【補正対象書類名】明細書
【補正対象項目名】００３１
【補正方法】変更
【補正の内容】
【００３１】
さらにカム状揺動レバー３３の下端部は、連結リンク３８を介して、テーブル２の前部側の下方部の前端部にペダル３７を有するとともに反ペダル側の後端部近傍部に復帰ばね３９を係合した足踏みレバー３６の後端部に枢支連結されている。この足踏みレバー３６は、ペダル３７の操作とその解除による復帰ばね３９を介した常態への復帰により、連結リンク３８を介してカム状揺動レバー３３を前後に揺動し、主軸ヘッド支持台２０を前述の量だけ上下動させ得るようになっている。これらの主軸ヘッド支持台２０に固定のカム従動ローラ３２付きのアーム３１、カム状揺動レバー３３及び足踏みレバー３６を含む足踏み式主軸ヘッド昇降機構３０の付設構成によれば、穴類を有するワークの穴類の内周部を面取り加工する際に、送りローラ４５の上昇と合わせて、主軸装置５を下降させて、主軸ヘッド６の先端部をテーブル２の開口部３に没入させることにより、ワークをテーブル２上で持ち上げることなく、主軸ヘッド６の先端部を穴類の中に出し入れすることができる。
【手続補正１０】
【補正対象書類名】明細書
【補正対象項目名】００３２
【補正方法】変更
【補正の内容】
【００３２】
また図４と図５〜６は、ワーク送り装置の送りユニットの変形例とその使用の状態を例示したもので、図１、図２の実施形態の送りユニット４１に、いま一つの送りローラ４６を付加した構成になっている。この付加した送りローラ４６は、テーブル２の後部側の主軸ヘッド６のワーク支受台部に対向するように、すなわちテーブル２の前部側の送りローラ４５と主軸７の直径方向において対向する位置に設置してある。
【手続補正１１】
【補正対象書類名】明細書
【補正対象項目名】００３６
【補正方法】変更
【補正の内容】
【００３６】
１    機枠
２    テーブル
３    開口部
４    フリーボールベアリング
５    主軸装置
６    主軸ヘッド
７    主軸
８    軸継手
９    モータ
１０  面取りカッタ
１１  ワークガイドローラ
１２  止めねじ軸
１３  主軸ケーシング
１４  ワーク支受台
１５  台座
１６  主軸ヘッド微動支持機構
１７  モータブラケット
１８  張出しブラケット
１９  遊嵌穴
２０  主軸ヘッド支持台
２１  ピン軸
２２  上方付勢ばね
２３  台脚
２４  機枠当接ストッパ
２５  リニアボールベアリング
２６  縦ガイド軸
２７  主軸ヘッド微昇降用リンク機構
２８  リニアボールベアリング
３０  足踏み式主軸ヘッド昇降機構
３１  アーム
３２  カム従動ローラ
３３  カム状揺動レバー
３４  高部
３５  低部
３６  足踏みレバー
３７  ペダル
３８  連結リンク
３９  復帰ばね
４０  ワーク送り装置
４１  送りユニット
４２  送りユニット支持台
４３  可逆モータ
４４  ギア伝動機構
４５  送りローラ
４６  送りローラ
４７  足踏み式送りローラ昇降機構
４８  縦支軸
４９  リニアボールベアリング
５０  足踏みレバー
５１  ペダル
Ｗ    ワーク
【手続補正１２】
【補正対象書類名】特許請求の範囲
【補正対象項目名】請求項１
【補正方法】変更
【補正の内容】
【請求項１】
機枠に取り付けた、中央部又は中央部近傍に開口部を有する多数のワーク支持用フリーボールベアリング付きテーブルと、該テーブルの中央部の下方部において機枠に取り付けた主軸装置であって、モータを介して垂直軸線周りに回転駆動する主軸の先端部に、テーブルの開口部から突出して、フリーボールベアリング上に支持されるワークの下面に隣接するエッジ部に係合可能な面取りカッタを取り付けるとともに該面取りカッタの直上部及び直下部のそれぞれに、ワークのエッジ部に隣接する端面部に当接可能なワークガイドローラ及び面取りカッタの周辺部においてワークのエッジ部に隣接する下面部を支受可能なワーク支受台を同心的に回転可能に取り付けた主軸ヘッドを含む主軸装置と、テーブルの後部側において上下にのびる縦支軸及びテーブルの前部側のテーブルの下方部にペダルを有する足踏み式送りローラ昇降機構と、該送りローラ昇降機構を介してテーブルの上方部に昇降可能に設置した送りユニットを含むワーク送り装置であって、該送りユニットは、テーブルの前部側の主軸ヘッドのワーク支受台対向部に、モータを介して水平軸線周りに回転駆動する送りローラを有し、該送りローラは送りローラ昇降機構のペダル操作の解除時に、対向するワーク支受台部との間にワーク部を挟圧可能な下降位置を取り、送りローラ昇降機構のペダル操作時に、ワーク支受台部との間にワーク部を挟圧不能な上昇位置を取るようにしてなるワーク送り装置を備えてなる、板状ワークのアール面取り機。
【手続補正１３】
【補正対象書類名】図面
【補正対象項目名】図１
【補正方法】変更
【補正の内容】
【図１】
2012240124.tif 000001